【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
視認者の更新された位置に基づいて、レンダリングされた画像データを時間ワーピングさせるための方法であって、前記方法は、
コンピューティングデバイスが、グラフィック処理ユニットから、前記視認者の第１の位置に基づいて推定された第１の姿勢と関連付けられた第１の視点に対応するレンダリングされた画像データを取得することと、
前記視認者の第２の位置と関連付けられたデータを受信することと、
前記視認者の前記第２の位置に基づいて、第２の姿勢を推定することと、
前記コンピューティングデバイスが、前記レンダリングされた画像データの少なくとも一部をピクセル毎に継続的に時間ワーピングさせ、前記視認者の第２の位置に基づいて推定された前記第２の姿勢と関連付けられた第２の視点に対応する時間ワーピングされたレンダリングされた画像データを生成することであって、継続的に時間ワーピングさせることは、
各漸進において前記レンダリングされた画像データの異なるピクセルを前記時間ワーピングされたレンダリングされた画像データの対応する異なるピクセルへ変換することによって、前記レンダリングされた画像データを前記時間ワーピングされたレンダリングされた画像データへ漸進的に時間ワーピングさせることであって、前記レンダリングされた画像データの異なるピクセルを前記時間ワーピングされたレンダリングされた画像データの対応する異なるピクセルへ時間ワーピングさせることは、
第１の漸進において、前記レンダリングされた画像データの第１のセットを前記時間ワーピングされたレンダリングされた画像データの第１のセットへ時間ワーピングさせることと、
第２の漸進において、前記レンダリングされた画像データの第２のセットを前記時間ワーピングされたレンダリングされた画像データの第２のセットへ時間ワーピングさせることであって、前記第１のセットは、前記第２のセットと異なる、ことと
を含む、こと
を含む、ことと、
前記コンピューティングデバイスが、接眼ディスプレイデバイス上に表示されるように、前記時間ワーピングされたレンダリングされた画像データを前記接眼ディスプレイデバイスのディスプレイモジュールにストリーミングすることであって、ストリーミングすることは、
第１の時間に、前記時間ワーピングされたレンダリングされた画像データの前記第１のセットを前記接眼ディスプレイデバイスの前記ディスプレイモジュールに伝送することと、
第２の時間に、前記時間ワーピングされたレンダリングされた画像データの前記第２のセットを前記接眼ディスプレイデバイスの前記ディスプレイモジュールに伝送することであって、前記レンダリングされた画像データの前記第２のセットを前記時間ワーピングされたレンダリングされた画像データの前記第２のセットへ時間ワーピングさせることは、前記第１の時間に漸進中であり、前記第２の時間までに完了する、ことと
を含む、ことと
を含む、方法。
【請求項２】
前記第２の位置は、前記第１の位置からの前記接眼ディスプレイデバイスの光学中心のまわりの回転に対応する、請求項１に記載の方法。
【請求項３】
前記第２の位置は、前記第１の位置からの水平平行移動に対応する、請求項１に記載の方法。
【請求項４】
前記レンダリングされた画像データは、前記時間ワーピングされたレンダリングされた画像データが光子に変換されるまで、前記時間ワーピングされたレンダリングされた画像データへ漸進的に時間ワーピングされる、請求項１に記載の方法。
【請求項５】
前記レンダリングされた画像データは、前記グラフィック処理ユニットからストリーミングされる画像のサブセクションである、請求項１に記載の方法。
【請求項６】
前記コンピューティングデバイスは、前記レンダリングされた画像データを前記グラフィック処理ユニットから受信するためのフレームバッファを含み、前記レンダリングされた画像データの少なくとも一部をピクセル毎に継続的に時間ワーピングさせることは、
前記コンピューティングデバイスが、前記接眼ディスプレイデバイスのディスプレイデバイスピクセルを前記フレームバッファ内のデフォルト画像ピクセルから前記フレームバッファ内の異なる画像ピクセルにリダイレクトすること
をさらに含む、請求項１に記載の方法。
【請求項７】
前記コンピューティングデバイスは、前記レンダリングされた画像データを前記グラフィック処理ユニットから受信するためのフレームバッファを含み、前記レンダリングされた画像データの少なくとも一部をピクセル毎に継続的に時間ワーピングさせることは、
前記コンピューティングデバイスが、前記フレームバッファ内の画像ピクセルを、前記画像ピクセルに割り当てられるデフォルトディスプレイデバイスピクセルと異なる前記接眼ディスプレイデバイスのディスプレイデバイスピクセルに送信すること
をさらに含む、請求項１に記載の方法。
【請求項８】
前記コンピューティングデバイスは、前記レンダリングされた画像データを前記グラフィック処理ユニットから受信するためのフレームバッファを含み、継続的に時間ワーピングさせることは、
前記レンダリングされた画像データの少なくとも一部を時間ワーピングさせながら、前記レンダリングされた画像データを前記グラフィック処理ユニットのフレームバッファから受信すること
をさらに含み、
前記時間ワーピングさせることは、
前記コンピューティングデバイスが、前記グラフィック処理ユニットから、前記グラフィック処理ユニットのフレームバッファ内の第１の画像ピクセルを前記コンピューティングデバイスのフレームバッファ内の第１の画像ピクセルにおいて受信することであって、前記グラフィック処理ユニットのフレームバッファ内の第１の画像ピクセルは、最初に、前記コンピューティングデバイスのフレームバッファ内の第２の画像ピクセルに割り当てられる、こと
を含む、請求項１に記載の方法。
【請求項９】
前記視認者の前記第２の位置と関連付けられたデータは、光学データと、慣性測定ユニットからのデータとを含み、前記コンピューティングデバイスは、前記光学データと、前記慣性測定ユニットからのデータとを受信し、前記視認者の前記第２の位置に基づいて前記第２の姿勢を推定するための姿勢推定器モジュールと、前記レンダリングされた画像データを前記グラフィック処理ユニットから受信するためのフレームバッファとを含む、請求項１に記載の方法。
【請求項１０】
前記コンピューティングデバイスは、前記レンダリングされた画像データを前記グラフィック処理ユニットから受信するためのフレームバッファと、前記時間ワーピングされたレンダリングされた画像データを前記接眼ディスプレイデバイスに伝送することに先立って、前記フレームバッファに記憶されるバッファされた画像ピクセルを偏移させることによって、前記レンダリングされた画像データの少なくとも一部を前記時間ワーピングされたレンダリングされた画像データへ時間ワーピングさせるための外部バッファプロセッサとを含む、請求項１に記載の方法。
【請求項１１】
前記フレームバッファ内の第１の画像ピクセルは、第１の量だけ偏移され、前記フレームバッファ内の第２の画像ピクセルは、前記第１の量と異なる第２の量だけ偏移される、請求項１０に記載の方法。
【請求項１２】
視認者の更新された位置に基づいて、画像フレームを時間ワーピングさせるための方法であって、前記方法は、
グラフィック処理ユニットが、第１の時間に、両眼接眼ディスプレイデバイスの左ディスプレイのための左画像フレームをレンダリングすることであって、前記左画像フレームは、前記視認者の第１の位置と関連付けられた第１の視点に対応する、ことと、
前記グラフィック処理ユニットが、前記両眼接眼ディスプレイデバイスの右ディスプレイのための右画像フレームをレンダリングすることであって、前記右画像フレームは、前記視認者の前記第１の位置と関連付けられた前記第１の視点に対応する、ことと、
前記グラフィック処理ユニットが、前記第１の時間より後の第２の時間に、前記視認者の第２の位置と関連付けられたデータを受信することであって、前記データは、前記視認者の前記第２の位置に基づく第１の姿勢推定を含む、ことと、
前記グラフィック処理ユニットが、前記第１の姿勢推定を使用して、前記左画像フレームの少なくとも一部を時間ワーピングさせ、前記両眼接眼ディスプレイデバイスの前記左ディスプレイのための更新された左画像フレームを生成することであって、前記更新された左画像フレームは、前記視認者の前記第２の位置と関連付けられた第２の視点に対応し、前記左画像フレームの少なくとも一部を時間ワーピングさせることは、前記更新された左画像フレームが前記両眼接眼ディスプレイデバイスの前記左ディスプレイに伝送される前に、完了する、ことと、
前記グラフィック処理ユニットが、前記第２の時間より後の第３の時間に、前記更新された左画像フレームに対するさらなる修正なしで、前記左ディスプレイ上に表示されるように、前記更新された左画像フレームを前記両眼接眼ディスプレイデバイスの前記左ディスプレイに伝送することと、
前記グラフィック処理ユニットが、前記第２の時間より後の第４の時間に、前記視認者の第３の位置と関連付けられたデータを受信することであって、前記データは、前記視認者の前記第３の位置に基づく第２の姿勢推定を含む、ことと、
前記グラフィック処理ユニットが、前記第２の姿勢推定を使用して、前記右画像フレームの少なくとも一部を時間ワーピングさせ、前記両眼接眼ディスプレイデバイスの前記右ディスプレイのための更新された右画像フレームを生成することであって、前記更新された右画像フレームは、前記視認者の前記第３の位置と関連付けられた第３の視点に対応し、前記右画像フレームの少なくとも一部を時間ワーピングさせることは、前記更新された右画像フレームが前記両眼接眼ディスプレイデバイスの前記右ディスプレイに伝送される前に、完了する、ことと、
前記グラフィック処理ユニットが、前記第４の時間より後の第５の時間に、前記更新された右画像フレームに対するさらなる修正なしで、前記右ディスプレイ上に表示されるように、前記更新された右画像フレームを前記両眼接眼ディスプレイデバイスの前記右ディスプレイに伝送することと
を含み、
前記更新された右画像フレームを生成することは、前記更新された左画像フレームの生成の終了に続いて、終了する、方法。
【請求項１３】
前記右画像フレームは、前記グラフィック処理ユニットによって、前記第１の時間にレンダリングされる、請求項１２に記載の方法。
【請求項１４】
前記右画像フレームは、前記グラフィック処理ユニットによって、前記第１の時間より後でありかつ前記第４の時間より早い第６の時間にレンダリングされる、請求項１２に記載の方法。
【請求項１５】
前記レンダリングされた右画像フレームは、前記第１の時間における前記レンダリングされた左画像フレームと同一である、請求項１２に記載の方法。
【請求項１６】
システムであって、
グラフィック処理ユニットであって、前記グラフィック処理ユニットは、視認者の第１の位置に基づいて推定された第１の姿勢と関連付けられた第１の視点に対応するレンダリングされた画像データを生成するように構成される、グラフィック処理ユニットと、
コントローラであって、前記コントローラは、
前記視認者の第２の位置と関連付けられたデータを受信することと、
前記視認者の前記第２の位置に基づいて、第２の姿勢を推定することと、
前記レンダリングされた画像データの少なくとも一部をピクセル毎に継続的に時間ワーピングさせ、前記視認者の前記第２の位置に基づいて推定された前記第２の姿勢と関連付けられた第２の視点に対応する時間ワーピングされたレンダリングされた画像データを生成することであって、継続的に時間ワーピングさせることは、
各漸進において前記レンダリングされた画像データの異なるピクセルを前記時間ワーピングされたレンダリングされた画像データの対応する異なるピクセルへ時間ワーピングさせることによって、前記レンダリングされた画像データを前記時間ワーピングされたレンダリングされた画像データへ漸進的に時間ワーピングさせることであって、前記レンダリングされた画像データの異なるピクセルを前記時間ワーピングされたレンダリングされた画像データの対応する異なるピクセルへ時間ワーピングさせることは、
第１の漸進において、前記レンダリングされた画像データの第１のセットを前記時間ワーピングされたレンダリングされた画像データの第１のセットへ時間ワーピングさせることと、
第２の漸進において、前記レンダリングされた画像データの第２のセットを前記時間ワーピングされたレンダリングされた画像データの第２のセットへ時間ワーピングさせることであって、前記第１のセットは、前記第２のセットと異なる、ことと
を含む、こと
を含む、ことと、
前記時間ワーピングされたレンダリングされた画像データをストリーミングすることであって、ストリーミングすることは、
第１の時間に、前記時間ワーピングされたレンダリングされた画像データの前記第１のセットを伝送することと、
第２の時間に、前記時間ワーピングされたレンダリングされた画像データの前記第２のセットを伝送することであって、前記レンダリング画像データの前記第２のセットを前記時間ワーピングされたレンダリングされた画像データの前記第２のセットへ時間ワーピングさせることは、前記第１の時間に漸進中であり、前記第２の時間までに完了する、ことと
を含む、ことと
を行うように構成される、コントローラと、
接眼ディスプレイデバイスであって、前記接眼ディスプレイデバイスは、
前記コントローラによってストリーミングされるにつれて、前記時間ワーピングされたレンダリングされた画像データを受信することと、
前記時間ワーピングされたレンダリングされた画像データを光子に変換することと、
前記光子を前記視認者に向かって放出し、前記時間ワーピングされたレンダリングされた画像データを前記接眼ディスプレイデバイス上に表示することと
を行うように構成される、接眼ディスプレイデバイスと
を備える、システム。
【請求項１７】
前記接眼ディスプレイデバイスは、シーケンシャル走査ディスプレイデバイスである、請求項１６に記載のシステム。
【請求項１８】
前記コントローラは、前記接眼ディスプレイデバイス内に組み込まれる、請求項１６に記載のシステム。
【請求項１９】
前記コントローラは、前記グラフィック処理ユニットおよび前記接眼ディスプレイデバイスに結合され、前記グラフィック処理ユニットと前記接眼ディスプレイデバイスとの間に提供される、請求項１６に記載のシステム。
【請求項２０】
前記コントローラは、
前記レンダリングされた画像データを前記グラフィック処理ユニットから受信するためのフレームバッファと、
前記時間ワーピングされたレンダリングされた画像データを前記接眼ディスプレイデバイスにストリーミングすることに先立って、前記フレームバッファに記憶されるバッファされた画像ピクセルを偏移させることによって、前記レンダリングされた画像データの少なくとも一部を前記時間ワーピングされたレンダリングされた画像データへ時間ワーピングさせるための外部バッファプロセッサと
をさらに備える、請求項１６に記載のシステム。
【請求項２１】
視認者の更新された位置に基づいて画像フレームを時間ワーピングさせるための方法であって、前記方法は、
グラフィック処理ユニットが、第１の時間に、両眼接眼ディスプレイデバイスの第１のディスプレイのための第１の画像フレームをレンダリングすることであって、前記第１の画像フレームは、前記視認者の第１の位置と関連付けられた第１の視点に対応する、ことと、
前記グラフィック処理ユニットが、前記両眼接眼ディスプレイデバイスの第２のディスプレイのための第２の画像フレームをレンダリングすることであって、前記第２の画像フレームは、前記視認者の前記第１の位置と関連付けられた前記第１の視点に対応する、ことと、
前記グラフィック処理ユニットが、前記第１の時間より後の第２の時間に、前記視認者の第２の位置と関連付けられたデータを受信することであって、前記データは、前記視認者の前記第２の位置に基づく第１の姿勢推定を含む、ことと、
前記グラフィック処理ユニットが、前記第１の姿勢推定を使用して、前記第１の画像フレームの少なくとも一部を時間ワーピングさせ、前記両眼接眼ディスプレイデバイスの前記第１のディスプレイのための更新された第１の画像フレームを生成することであって、前記更新された第１の画像フレームは、前記視認者の前記第２の位置と関連付けられた第２の視点に対応し、前記第１の画像フレームの少なくとも一部を時間ワーピングさせることは、前記更新された第１の画像フレームが前記両眼接眼ディスプレイデバイスの前記第１のディスプレイに伝送される前に、完了する、ことと
前記グラフィック処理ユニットが、前記第２の時間より後の第３の時間に、前記更新された第１の画像フレームに対するさらなる修正なしで、前記第１のディスプレイ上に表示されるように、前記更新された第１の画像フレームを前記両眼接眼ディスプレイデバイスの前記第１のディスプレイに伝送することと、
前記グラフィック処理ユニットが、前記第２の時間より後の第４の時間に、前記視認者の第３の位置と関連付けられたデータを受信することであって、前記データは、前記視認者の前記第３の位置に基づく第２の姿勢推定を含む、ことと、
前記グラフィック処理ユニットが、前記第２の姿勢推定を使用して、前記第２の画像フレームの少なくとも一部を時間ワーピングさせ、前記両眼接眼ディスプレイデバイスの前記第２のディスプレイのための更新された第２の画像フレームを生成することであって、前記更新された第２の画像フレームは、前記視認者の前記第３の位置と関連付けられた第３の視点に対応し、前記第２の画像フレームの少なくとも一部を時間ワーピングさせることは、前記更新された第２の画像フレームが前記両眼接眼ディスプレイデバイスの前記第２のディスプレイに伝送される前に、完了する、ことと、
前記グラフィック処理ユニットが、前記第４の時間より後の第５の時間に、前記更新された第２の画像フレームに対するさらなる修正なしで、前記第２のディスプレイ上に表示されるように、前記更新された第２の画像フレームを前記両眼接眼ディスプレイデバイスの前記第２のディスプレイに伝送することと
を含み、
前記第２の画像フレームを時間ワーピングさせることは、前記第１の画像フレームの時間ワーピングの終了に続いて、終了する、方法。
【請求項２２】
前記レンダリング画像データを前記時間ワーピングされたレンダリングされた画像データへ漸進的に時間ワーピングさせることは、
各漸進において前記レンダリングされた画像データの異なるピクセルから前記時間ワーピングされたレンダリングされた画像データの対応するピクセルを生成することによって、前記レンダリングされた画像データから前記時間ワーピングされたレンダリングされた画像データを生成すること
をさらに含む、請求項１に記載の方法。
【請求項２３】
前記第５の時間は、前記第３の時間より後である、請求項１２に記載の方法。
【手続補正２】
【補正対象書類名】明細書
【補正対象項目名】００１５
【補正方法】変更
【補正の内容】
【００１５】
付加的特徴、利点、および実施形態が、以下の発明を実施するための形態、図、および請求項に説明される。
本発明は、例えば、以下を提供する。
（項目１）
視認者の更新された位置に基づいて、画像フレームを変換するための方法であって、前記方法は、
コンピューティングデバイスによって、グラフィック処理ユニットから、前記視認者の第１の位置と関連付けられた第１の視点に対応する第１の画像フレームを取得するステップと、
前記視認者の第２の位置と関連付けられたデータを受信するステップと、
前記コンピューティングデバイスによって、前記第１の画像フレームの少なくとも一部をピクセル毎に継続的に変換し、前記視認者の第２の位置と関連付けられた第２の視点に対応する第２の画像フレームを生成するステップと、
前記コンピューティングデバイスによって、接眼ディスプレイデバイス上に表示されるように、前記第２の画像フレームを前記接眼ディスプレイデバイスのディスプレイモジュールに伝送するステップと
を含む、方法。
（項目２）
前記第２の位置は、前記第１の位置からの前記接眼ディスプレイデバイスの光学中心のまわりの回転に対応する、項目１に記載の方法。
（項目３）
前記第２の位置は、前記第１の位置からの水平平行移動に対応する、項目１に記載の方法。
（項目４）
前記第１の画像フレームは、前記変換された第１の画像フレームが光子に変換されるまで、継続的に変換される、項目１に記載の方法。
（項目５）
前記第１の画像フレームは、前記グラフィック処理ユニットからストリーミングされる画像のサブセクションである、項目１に記載の方法。
（項目６）
前記コンピューティングデバイスは、前記第１の画像フレームを前記グラフィック処理ユニットから受信するためのフレームバッファを含み、前記第１の画像フレームの少なくとも一部をピクセル毎に継続的に変換するステップはさらに、
前記コンピューティングデバイスによって、前記接眼ディスプレイデバイスのディスプレイデバイスピクセルを前記フレームバッファ内のデフォルト画像ピクセルから前記フレームバッファ内の異なる画像ピクセルにリダイレクトするステップ
を含む、項目１に記載の方法。
（項目７）
前記コンピューティングデバイスは、前記第１の画像フレームを前記グラフィック処理ユニットから受信するためのフレームバッファを含み、前記第１の画像フレームの少なくとも一部をピクセル毎に継続的に変換するステップはさらに、
前記コンピューティングデバイスによって、前記フレームバッファ内の画像ピクセルを前記画像ピクセルに割り当てられるデフォルトディスプレイデバイスピクセルと異なる前記接眼ディスプレイデバイスのディスプレイデバイスピクセルに送信するステップ
を含む、項目１に記載の方法。
（項目８）
前記コンピューティングデバイスは、前記第１の画像フレームを前記グラフィック処理ユニットから受信するためのフレームバッファを含み、継続的に変換するステップはさらに、
前記第１の画像フレームの少なくとも一部を変換しながら、前記第１の画像フレームを前記グラフィック処理ユニットのフレームバッファから受信するステップ
を含み、前記変換するステップは、
前記コンピューティングデバイスによって、前記グラフィック処理ユニットから、前記グラフィック処理ユニットのフレームバッファ内の第１の画像ピクセルを前記コンピューティングデバイスのフレームバッファ内の第１の画像ピクセルにおいて受信するステップであって、前記グラフィック処理ユニットのフレームバッファ内の第１の画像ピクセルは、最初に、前記コンピューティングデバイスのフレームバッファ内の第２の画像ピクセルに割り当てられる、ステップ
を含む、項目１に記載の方法。
（項目９）
前記視認者の第２の位置と関連付けられたデータは、光学データと、慣性測定ユニットからのデータとを含み、前記コンピューティングデバイスは、前記光学データと、前記慣性測定ユニットからのデータとを受信するための姿勢推定器モジュールと、前記第１の画像フレームを前記グラフィック処理ユニットから受信するためのフレームバッファとを含む、項目１に記載の方法。
（項目１０）
前記コンピューティングデバイスは、前記第１の画像フレームを前記グラフィック処理ユニットから受信するためのフレームバッファと、前記第２の画像フレームを前記接眼ディスプレイデバイスに伝送することに先立って、前記フレームバッファに記憶されるバッファされた画像ピクセルを偏移させることによって、前記第１の画像フレームの少なくとも一部を前記第２の画像フレームに変換するための外部バッファプロセッサとを含む、項目１に記載の方法。
（項目１１）
前記フレームバッファ内の第１の画像ピクセルは、第１の量だけ偏移され、前記フレームバッファ内の第２の画像ピクセルは、前記第１の量と異なる第２の量だけ偏移される、項目１０に記載の方法。
（項目１２）
視認者の更新された位置に基づいて、画像フレームを変換するための方法であって、前記方法は、
グラフィック処理ユニットによって、第１の時間に、両眼接眼ディスプレイデバイスの左ディスプレイのための左画像フレームをレンダリングするステップであって、前記左画像フレームは、前記視認者の第１の位置と関連付けられた第１の視点に対応する、ステップと、
コンピューティングデバイスによって、前記グラフィック処理ユニットから、前記両眼接眼ディスプレイデバイスの右ディスプレイのための右画像フレームをレンダリングするステップであって、前記右画像フレームは、前記視認者の第１の位置と関連付けられた第１の視点に対応する、ステップと、
前記グラフィック処理ユニットによって、前記第１の時間より後の第２の時間に、前記視認者の第２の位置と関連付けられたデータを受信するステップであって、前記データは、前記視認者の第２の位置に基づく第１の姿勢推定を含む、ステップと、
前記グラフィック処理ユニットによって、前記視認者の第２の位置に基づく第１の姿勢推定を使用して、前記左画像フレームの少なくとも一部を変換し、前記両眼接眼ディスプレイデバイスの左ディスプレイのための更新された左画像フレームを生成するステップであって、前記更新された左画像フレームは、前記視認者の第２の位置と関連付けられた第２の視点に対応する、ステップと、
前記グラフィック処理ユニットによって、前記第２の時間より後の第３の時間に、前記左ディスプレイ上に表示されるように、前記更新された左画像フレームを前記両眼接眼ディスプレイデバイスの左ディスプレイに伝送するステップと、
前記グラフィック処理ユニットによって、前記第２の時間より後の第４の時間に、前記視認者の第３の位置と関連付けられたデータを受信するステップであって、前記データは、前記視認者の第３の位置に基づく第２の姿勢推定を含む、ステップと、
前記グラフィック処理ユニットによって、前記視認者の第３の位置に基づく第２の姿勢推定を使用して、前記右画像フレームの少なくとも一部を変換し、前記両眼接眼ディスプレイデバイスの右ディスプレイのための更新された右画像フレームを生成するステップであって、前記更新された右画像フレームは、前記視認者の第３の位置と関連付けられた第３の視点に対応する、ステップと、
前記グラフィック処理ユニットによって、前記第４の時間より後の第５の時間に、前記右ディスプレイ上に表示されるように、前記更新された右画像フレームを前記両眼接眼ディスプレイデバイスの右ディスプレイに伝送するステップと
を含む、方法。
（項目１３）
前記右画像フレームは、前記グラフィック処理ユニットによって、前記第１の時間にレンダリングされる、項目１２に記載の方法。
（項目１４）
前記右画像フレームは、前記グラフィック処理ユニットによって、前記第１の時間より後であって、かつ前記第４の時間より早い第６の時間にレンダリングされる、項目１２に記載の方法。
（項目１５）
前記レンダリングされた右画像フレームは、前記第１の時間にレンダリングされた左画像フレームと同一である、項目１２に記載の方法。
（項目１６）
システムであって、
グラフィック処理ユニットであって、前記グラフィック処理ユニットは、視認者の第１の位置と関連付けられた第１の視点に対応する第１の画像フレームを生成するように構成される、グラフィック処理ユニットと、
コントローラであって、前記コントローラは、
前記視認者の第２の位置と関連付けられたデータを受信することと、
前記第１の画像フレームの少なくとも一部をピクセル毎に継続的に変換し、前記視認者の第２の位置と関連付けられた第２の視点に対応する第２の画像フレームを生成することと、
前記第２の画像フレームをストリーミングすることと
を行うように構成される、コントローラと、
接眼ディスプレイデバイスであって、前記接眼ディスプレイデバイスは、
ストリーミングされるにつれて、前記コントローラによって、前記第２の画像フレームを受信することと、
前記第２の画像フレームを光子に変換することと、
前記光子を前記視認者に向かって放出することと
を行うように構成される、接眼ディスプレイデバイスと
を備える、システム。
（項目１７）
前記接眼ディスプレイデバイスは、シーケンシャル走査ディスプレイデバイスである、項目１６に記載のシステム。
（項目１８）
前記コントローラは、前記接眼ディスプレイデバイス内に組み込まれる、項目１６に記載のシステム。
（項目１９）
前記コントローラは、前記グラフィック処理ユニットおよび前記接眼ディスプレイデバイスに結合され、それらの間に提供される、項目１６に記載のシステム。
（項目２０）
前記コントローラはさらに、
前記第１の画像フレームを前記グラフィック処理ユニットから受信するためのフレームバッファと、
前記第２の画像フレームを前記接眼ディスプレイデバイスにストリーミングすることに先立って、前記フレームバッファに記憶されるバッファされた画像ピクセルを偏移させることによって、前記第１の画像フレームの少なくとも一部を前記第２の画像フレームに変換するための外部バッファプロセッサと
を備える、項目１６に記載のシステム。